(57)【特許請求の範囲】
【請求項１】
円盤状の加熱コイルがコイルベースに支持されるとともに、前記加熱コイルの上方に鍋を載置するトッププレートが配置される電磁調理器において、
前記加熱コイルの上面に被さるように前記コイルベースに装着されるコイルホルダを設けこのコイルホルダの中心部に円筒部を形成するとともに前記コイルベースの中心部に前記円筒部と嵌り合う円筒枠を形成し、かつ前記円筒部の一部にフックを設けるとともに前記円筒枠の内周に内側に向かって突出し前記フックに係合する突起を設け、前記コイルホルダを前記加熱コイルの上面に被せる際に前記円筒部を前記コイルベースの円筒枠に嵌合して前記フックを前記突起に係合することにより、前記コイルホルダにより前記加熱コイルを前記コイルベースに押圧保持するようにしたことを特徴とする電磁調理器。
【請求項２】
前記コイルホルダに上方に突出するプレート支えを形成し、このプレート支えを前記トッププレートの下面に当接させるようにしたことを特徴とする請求項１記載の電磁調理器。
【請求項３】
前記コイルホルダのプレート支えと前記トッププレートとの間にクッション材を挿入したことを特徴とする請求項２記載の電磁調理器。
【発明の詳細な説明】
【０００１】
【発明の属する技術分野】
この発明は、鍋底に渦電流を生じさせて鍋の中の食材を加熱調理する電磁調理器に関する。
【０００２】
【従来の技術】
上記電磁調理器は一般に、コイルベースに支持された加熱コイルの上方に、トッププレートと呼ばれる台が適宜のギャップを介して配置され、このトッププレートの上に鉄系の鍋が載置される。加熱コイルに高周波電流が通流されると、その磁力線がトッププレートを透過して鍋の底部を通り、この底部に渦電流を生じさせる。鍋はこの渦電流のジュール熱で発熱し、中の食材を加熱する。加熱コイルはリッツ線が渦巻形に巻かれた後、線間が融着固化されて円盤状に形成されている。トッププレートには磁力線を透過しやすい、例えば耐熱性のセラミック板が用いられる。
【０００３】
【発明が解決しようとする課題】
このような電磁調理器において、従来は加熱コイルをコイルベースに固定するのに、接着剤を用いていた。すなわち、図４は加熱コイルを支持したコイルベースの従来構成を示す裏面図で、放射状のスポーク１ａを有するコイルベース１の裏側から、加熱コイル２とスポーク１ａとの間の隅部に耐熱性の接着剤３を塗布し、加熱コイル２をコイルベース１に固定している。ところが、この方法は接着剤の塗布や乾燥に多くの工数を要する上に、耐熱性の接着剤は材料コストが高いという問題があった。
【０００４】
一方、従来は加熱コイルを支持したコイルベースと、その上方のトッププレートとは、電磁調理器箱体内で別々に高さ位置が決められている。そのため、電磁調理器箱体の板金精度の誤差により、加熱コイルとトッププレートとの間のギャップにバラツキが生じやすく、結果として加熱電力が一定しないという問題があった。また、従来はトッププレート上に鍋の載せたとき、上記ギャップの範囲でトッププレートに沈み込みによる撓みが生じ、これによってもギャップの大きさが影響を受けたり、場合によってはトッププレートに割れが生じるという問題があった。
【０００５】
この発明の課題は、これらの問題に対処し、コイルベース上の加熱コイルの固定を簡単にするとともに、加熱コイルとトッププレートとの間のギャップの精度を向上し、かつトッププレートの撓みを防止することにある。
【０００６】
【課題を解決するための手段】
この発明は、円盤状の加熱コイルがコイルベースに支持されるとともに、前記加熱コイルの上方に鍋を載置するトッププレートが配置される電磁調理器において、前記加熱コイルの上面に被さるように前記コイルベースに装着されるコイルホルダを設け、このコイルホルダの中心部に円筒部を形成するとともに前記コイルベースの中心部に前記円筒部と嵌り合う円筒枠を形成し、かつ前記円筒部の一部にフックを設けるとともに前記円筒枠の内周に内側に向かって突出し前記フックに係合する突起を設け、前記コイルホルダを前記加熱コイルの上面に被せる際に前記円筒部を前記コイルベースの円筒枠に嵌合して前記フックを前記突起に係合することにより、前記コイルホルダにより前記加熱コイルを前記コイルベースに押圧保持するものである（請求項１）。この請求項１は、コイルベースに機械的に装着されるコイルホルダにより加熱コイルを押え付けて保持するもので、これによりワンタッチで迅速に加熱コイルを固定することができる。
【０００７】
前記コイルホルダには上方に突出するプレート支えを形成し、このプレート支えを前記トッププレートの下面に当接させるようにするのがよい（請求項２）。これにより、加熱コイルとトッププレートとの間のギャップを前記プレート支えの高さ寸法に応じて正確に定めることができる。また、同時に前記プレート支えをによりトッププレートを下支えし、沈み込みによるトッププレートの撓みを防止することができる。その場合、前記コイルホルダのプレート支えと前記トッププレートとの間にクッション材を挿入すれば、トッププレートに加わる衝撃が緩和され、トッププレートの破損防止が一層確実になる（請求項３）。
【０００８】
【発明の実施の形態】
図１〜図３はこの発明の実施の形態を示し、図１は加熱コイルを支持したコイルベースと、これに装着されるコイルホルダの斜視図、図２はコイルホルダを装着したコイルベースの平面図、図３は図２の右側面図である。図１において、耐熱樹脂からなるコイルベース１は、加熱コイル２より一回り大きい環状枠１ａと、中心の円筒枠１ｂと、図１では見えないが円筒枠１ｂから放射状に延びて環状枠１ａに至る数本のスポークとからなり、環状枠１ａには直径上の１箇所及びその反対側で直径を挟む２箇所に互いに平行な取付脚１ｃ及び１ｄがそれぞれ外側に突出するするように一体形成されている。取付脚１ｃ，１ｄには図示しない取付ねじを通す取付穴１ｅがそれぞれあけられている。円筒枠１ｂの中心には十字状のスポークを介してセンサ支えが一体形成され、このセンサ支えに鍋の温度を検出する温度センサ４（図２）が取り付けられるが、図１ではこのセンサ支えは省略されている。
【０００９】
コイルベース１上に支持された加熱コイル２は、リッツ線が渦巻形に巻かれた後、巻線が加熱融着されて中空円盤状に形成され、中心の中空部を介してコイルベース１の円筒枠１ｂに嵌合し、巻き始め及び巻き終わりの引出し線２ａ及び２ｂは、コイルベース１に嵌め込まれた引出し線ホルダ５に巻き付けられている。加熱コイル１の上面と円筒枠１ｂの上端面とは同一面上にある。
【００１０】
コイルホルダ６は耐熱樹脂（例えばＰＰＳ）からなり、コイルベース１の取付脚１ｃ及び１ｄとそれぞれ重なる１本の保持脚６ａ及び２本の保持脚６ｂを持つＹ字状で、中心にコイルベース１の円筒枠１ｂの内側に嵌合する円筒部６ｃを有している。保持脚６ａ，６ｂは左右両側に補強リブが立ち上げられた溝形断面で、先端にコイルベース１の取付穴１ｅと重なる取付穴６ｄがそれぞれあけられている。ここで、円筒部６ｃには直径上の対向２箇所に切欠７が設けられるとともに、この切欠７に面して、周方向に延びるフック６ｅが下方に突出するように一体形成されている。
【００１１】
そして、それに対応して、コイルベース１の円筒枠１ｂには、直径上の対向２箇所に内側に突出するように、円柱状の突起１ｆが一体形成されている。また、コイルホルダ６の各保持脚６ａ，６ｂの先端には、片方の側面から垂れ下がるように舌片６ｆが一体形成され、更にこの舌片６ｆに直交するように、上から見て時計方向に向う係合片６ｇが一体形成されている。更にまた、コイルホルダ保持脚６ａ，６ｂの一方側の補強リブには、中心から等距離の位置に、プレート支え６ｈが上方に突出するように一体形成されている。
【００１２】
上記したコイルホルダ６をコイルベース１に装着するには、図１の鎖線矢印方向に被せるが、その際、図１に２点鎖線で示したように、保持脚６ｂを上から見て反時計方向に振った状態で円筒部６ｃをコイルベース１の円筒枠１ｂに挿入し、突起１ｆを切欠７に進入させつつ、円筒部６ｃを円筒体１ｂに嵌合させる。そして、コイルホルダ６の下面が加熱コイル１の上端面に当たったら、図１に曲線矢印で示すようにコイルホルダ６を時計方向に捻る。これにより、各舌片６ｆが各取付脚１ｃ，１ｄの側面に当接し、各係合片６ｇが各取付脚１ｃ，１ｄの下面に係合するとともに、同時にフック６ｅが突起１ｆの下面に係合する。この係合はいずれもコイルホルダ６の各部の若干の弾性変形により圧入気味に行われ、コイルホルダ６は加熱コイル１を押圧する。この状態で、図２に示すように、取付穴１ｅ，６ｄ同士は一致し、コイルベース１とコイルホルダ６とは取付穴１ｅ，６ｄを通る図示しない取付ねじにより共締めされて電磁調理器箱体に固定される。上記したコイルホルダ６による加熱コイル１の保持は、コイルホルダ６を上から被せて横に捻るという簡単な動作できわめて迅速に行われ、高価な接着剤が不要である。
【００１３】
一方、トッププレート９は、図３に示すように、その下面がプレート支え６ｈに当接するように上下方向に位置決めされた上で、電磁調理器本体に固定される。これにより、加熱コイル１とトッププレート９とのギャップＧが正確に定められるとともに、トッププレート９はプレート支え６ｈにより下支えされるため、上面から鍋の重量を受けても沈み込んで撓むことがなく、ギャップＧが常に一定に保たれ、かつトッププレート９の変形による破損が防止される。その場合、図３に示したように、プレート支え６ｈとトッププレート９との間に、例えば石綿系耐火材からなるクッション材１０を挿入することにより、緩衝作用が増してトッププレート９の破損防止作用が一層良好になる。
【００１４】
【発明の効果】
以上の通り、この発明によれば、コイルホルダを加熱コイルに被せるようにコイルベースに装着することにより、迅速安価な加熱コイルの保持が可能になるとともに、コイルホルダに設けたプレート支えをトッププレートに当接させることにより、加熱コイルとトッププレートとの間のギャップを正確に保ち、かつトッププレートの変形を抑えてその破損を防止することができる。
【図面の簡単な説明】
【図１】  この発明の実施の形態を示すコイルホルダ及びコイルベースの斜視図である。
【図２】  図１のコイルホルダを装着したコイルベースの平面図である。
【図３】  図２の右側面図である。
【図４】  従来例を示すコイルベースの裏面図である。
【符号の説明】
１    コイルベース
２    加熱コイル
６    コイルホルダ
６ｈ  プレート支え
９    トッププレート
１０    クッション材
【図１】
0004411765.tif 000002
【図２】
0004411765.tif 000003
【図３】
0004411765.tif 000004
【図４】
0004411765.tif 000005